(57)【特許請求の範囲】
【請求項１】
送信機と受信機を具備した１つのシステムでセルを廃棄する方法であって、前記方法は選択繰り返し自動繰り返し要求プロトコルを補足し、
送信機から受信されると予測されたセルを示した第一番目のリストを受信機においてコンパイルする工程と、
送信機から受信機へ送信機が廃棄したセルを示したセル廃棄通知メッセージであって、セルのシーケンス番号領域と長さ領域との組を少なくとも１つ含んで、少なくとも１つの組の各々に対して、セルのシーケンス番号領域が受信機によって廃棄されるべき第一番目のセルを示し、かつ、長さ領域が第一番目のセルの直前に続く、受信機によって廃棄されるべきセルの数を示したセル廃棄通知メッセージを送信する過程と、
セル廃棄通知メッセージを受信機において受信する過程と、
どのセルがセル廃棄通知メッセージに基づいて送信機によって廃棄されたかを受信機によって計算する過程と、
送信機から受信されると予測されたセルを示した第一番目のリストから登録を削除する過程であって、削除される登録が、送信機によって廃棄されて計算過程において特定されたセルに対応する過程とを含み、
それによって、受信機において選択繰返し自動繰返し要求の過程に悪影響を及ぼすことなく、単一のセル廃棄通知メッセージに基づき、複数のセルが送信機によって廃棄され、それによって、自動繰返し要求のバッファの停滞を防止することを特徴とする方法。
【請求項２】
送信機と受信機を具備した１つのシステムでセルを廃棄する方法であって、前記方法は選択繰り返し自動繰り返し要求プロトコルを補足し、
送信機から受信されると予測されたセルを示した第一番目のリストを受信機においてコンパイルする過程と、
送信機から受信機へ送信機が廃棄したセルを示したセル廃棄通知メッセージであって、セルのシーケンス番号領域と長さ領域の組を少なくとも１つ含んで、少なくとも１つの組の各々に対して、セルのシーケンス番号領域が、受信機によって廃棄されるべき第一番目のセルを示し、かつ、長さ領域が第一番目のセルに最も近傍の、受信機によって廃棄されるべきセルの数を示したセル廃棄通知メッセージを送信する過程と、
セル廃棄通知メッセージを受信機において受信する過程と、
セル廃棄通知メッセージに基づいて、どのセルが送信機によって廃棄されたかを受信機によって計算する過程と、
送信機から受信されると予測されたセルを示した第一番目のリストから登録を削除する過程であって、削除される登録が、送信機によって廃棄されて計算過程において特定されたセルに対応する過程とを含み、
それによって、受信機において選択繰返し自動繰返し要求の過程に悪影響を及ぼすことなく、単一のセル廃棄通知メッセージに基づき、複数のセルが送信機によって廃棄され、それによって、自動繰返し要求のバッファの停滞を防止することを特徴とする方法。
【請求項３】
送信機と受信機を具備した１つのシステムでセルを廃棄する方法であって、前記方法は選択繰り返し自動繰り返し要求プロトコルを補足し、
送信機から受信されると予測されたセルを示した第一番目のリストを受信機においてコンパイルする過程と、
送信機から受信機へ送信機が廃棄したセルを示したセル廃棄通知メッセージであって、セルのシーケンス番号領域と長さ領域の組を少なくとも１つ含んで、少なくとも１つの組の各々に対して、セルのシーケンス番号領域が受信機によって廃棄されるべき第一番目のセルを示し、かつ、長さ領域が第一番目のセルの直後に続く、受信機から廃棄されるべきセルの数を示したセル廃棄通知メッセージを送信する過程と、
セル廃棄通知メッセージを受信機において受信する過程と、
セル廃棄通知メッセージに基づいて、どのセルが送信機によって廃棄されたかを受信機によって計算する過程と、
送信機から受信されると予測されたセルを示した第一番目のリストから登録を削除する過程であって、削除された登録が、送信機によって廃棄されて計算過程において特定されたセルに対応する過程とを含み、
それによって、受信機において選択繰返し自動繰返し要求の過程に悪影響を及ぼすことなく、単一のセル廃棄通知メッセージに基づき、複数のセルが送信機によって廃棄され、それによって、自動繰返し要求のバッファの停滞を防止することを特徴とする方法。
【請求項４】
送信機と受信機を具備した１つのシステムでセルを廃棄する方法であって、前記方法は選択繰り返し自動繰り返し要求プロトコルを補足し、
送信機から受信されると予測されたセルを示した第一番目のリストを受信機においてコンパイルする過程と、
送信機から受信機へ送信機が廃棄したセルを示したセル廃棄通知メッセージであって、ビットマップと、セルのシーケンス番号領域及び長さ領域の少なくとも１つの組とを含んで、少なくとも１つの組の各々に対して、長さ領域がビットマップ部を表し、当該組が１グループのセルを表し、ビットマップ部が、そのグループのセルのどれが受信機によって廃棄されるべきであるのかを示したセル廃棄通知メッセージを送信する過程と、
セル廃棄通知メッセージを受信機において受信する過程と、
セル廃棄通知メッセージに基づいて、どのセルが送信機によって廃棄されたかを受信機によって計算する過程と、
送信機から受信されると予測されたセルを示した第一番目のリストから登録を削除する過程であって、削除された登録が、送信機によって廃棄されて計算過程において特定されたセルに対応する過程とを含み、
それによって、受信機において選択繰返し自動繰返し要求の過程に悪影響を及ぼすことなく、単一のセル廃棄通知メッセージに基づき、複数のセルが送信機によって廃棄され、それによって、自動繰返し要求のバッファの停滞を防止することを特徴とする方法。
【請求項５】
送信機と受信機を具備した１つのシステムでセルを廃棄する方法であって、前記方法は選択繰り返し自動繰り返し要求プロトコルを補足し、
送信機から受信されると予測されたセルを示した第一番目のリストを受信機においてコンパイルする過程と、
送信機から受信機へ送信機が廃棄したセルを示したセル廃棄通知メッセージであって、セルのシーケンス番号領域とビットマップとの少なくとも１つの組を含んで、セルのシーケンス番号領域とビットマップがともに、１グループのセルを表し、ビットマップがそのグループのセルのどれが受信機から廃棄されるのかを示したセル廃棄通知メッセージを送信する過程と、
セル廃棄通知メッセージを受信機において受信する過程と、
セル廃棄通知メッセージに基づいて、どのセルが送信機によって廃棄されたセルかを受信機によって計算する過程と、
送信機から受信されると予測されたセルを示した第一番目のリストから登録を削除する過程であって、削除された登録が、送信機によって廃棄されて計算過程において特定されたセルに対応する過程とを含み、
それによって、受信機において選択繰返し自動繰返し要求の過程に悪影響を及ぼすことなく、単一のセル廃棄通知メッセージに基づき、複数のセルが送信機によって廃棄され、それによって、自動繰返し要求のバッファの停滞を防止することを特徴とする方法。
【請求項６】
セル廃棄通知メッセージが、該メッセージの形態を示す領域を含む請求項１ないし５のいずれかに記載の方法。
【請求項７】
セル廃棄通知メッセージが、受信機から廃棄されるべき各セルに対するシーケンス番号領域を含む請求項１ないし６のいずれかに記載の方法。
【請求項８】
グループ中のセルが連続して隣接し、該セルのシーケンス番号領域がグループの一端でセルを識別する請求項４に記載の方法。
【請求項９】
少なくとも１つの長さ領域を有する少なくとも１組のシーケンスは、ビットマップのどの部分が前記少なくとも１組の異なる組に対応するのかを示す請求項４に記載の方法。
【請求項１０】
該セル廃棄通知メッセージが、受信機によって受信されないときに、セル廃棄通知メッセージが送信された後に、送信機から廃棄された全てのセルを含むようにセル廃棄通知メッセージを更新し、
当該更新されたセル廃棄通知メッセージを受信機に送信する過程をさらに含む請求項１ないし９のいずれかに記載の方法。
【請求項１１】
受信機から送信機へ再送要求を送信し、
送信機において再送要求を受信し、
再送要求に指示された全てのセルが送信機から廃棄されたか否かを判断し、
再送要求に指示されたセルのどれかが送信機から廃棄されていると判断した場合、当該セルが送信機から廃棄されたことを示すセル廃棄通知メッセージを送信機から受信機へ送信する過程を有する請求項１ないし１０のいずれかに記載の方法。
【請求項１２】
セル廃棄通知メッセージに指示されているが、送信機から受信されると予測されたセルの第一番目のリストに登録されていないセルをすべて特定する過程と、
特定する過程で特定されたセルを含み、送信機から受信されると予測されないセルを示した第二番目のリストを受信機においてコンパイルする過程と、
送信機から受信されると予測されたセルの第一番目のリストと、送信機から受信されると予測されないセルの第二番目のリストとを定期的に比較して適合する登録を特定する過程と、
送信機から受信されると予測されたセルの第一番目のリストと、送信機から受信されると予測されないセルの第二番目のリストとから、特定された適合する登録を削除する過程と、をさらに含む請求項１ないし１１のいずれかに記載の方法。
【発明の詳細な説明】
【０００１】
技術分野
本発明は移動無線環境における情報伝送全般に係り、更に詳細には選択繰り返しＡＲＱにおける受信確認がされないデータフレームの管理に関係する。
【０００２】
発明の背景
無線移動環境において、シャドウイングおよびマルチパスフェージングは、セル損失率に関する顕著な性能低下を生じさせる。自動繰り返し要求（ＡＲＱ）と前進型誤信号訂正（ＦＥＣ）がビット誤り率（ＢＥＲ）の性能を改善するために頻繁に用いられる。通信チャネルの性能が低い場合に、送信機から受信機に対して送信され、受信否定確認された（ＮＡＣＫされた）か送信後所定の時間が経過しても受信確認がされていない（つまり、時間切れになった）メッセージ（例；ワード、セルなど）は、送信機から受信機へ首尾よく送信されたか、あるいは、所定の時間が経過してしまうまで、送信機中のＡＲＱバッファに格納される必要がある。
【０００３】
周知の選択繰り返しＡＲＱプロトコルでは、受信機が特定のメッセージを正しく受信していないと認識した場合、該受信機は、正しく受信されなかったメッセージに続いて送られ、正しく受信されたメッセージのすべてをバッファに格納する。
【０００４】
送信機が特定のメッセージの再送信を数回試みたにも関わらず成功しなかった後、または、所定の時間が経過した後に、当該メッセージは、送信機のＡＲＱバッファから排除されるべきである。しかし、該受信機が廃棄されたメッセージを待ちつづけている場合、該システムは停止状態に陥る。
【０００５】
発明の要旨
本発明の多くの実施態様によると、選択繰り返しＡＲＱ技術を補足するアルゴリズムが提供され、選択繰り返しＡＲＱを使用している場合に、そのアルゴリズムによれば、送信機において使用されないことになったパケットあるいは余剰パケットを安全に廃棄することができる。したがって、ＡＲＱバッファの流通阻害とシステムの停止を回避して、選択繰り返しＡＲＱを使用した移動無線環境のデータ伝送を一層効果的に行うことができる。アルゴリズムの変形例において、セル廃棄通知（ＣＤＮ）メッセージは、送信機がすでに廃棄しており、受信機が、受信を予測する必要がないセルまたはパケットを受信機に知らせるために、送信機から受信機へ送信される。
【０００６】
詳細な説明
本発明の典型的な実施例によると、複数のメッセージ、あるいは、セルが送信機中のＡＲＱバッファから廃棄される場合、該送信機は、該受信機が廃棄されたメッセージの受信を待ちつづけないように、セル廃棄通知メッセージ（ＣＤＮメッセージ）を受信機に送信する。
【０００７】
ＣＤＮメッセージを受信すると、該受信機は、ＣＤＮメッセージから供給した情報を使用して、送信機がどのセルを廃棄したかを算出し、受信が予想されるセルを変更する。例えば、受信機が、不正確に受信されたセルまたは予期されているが、まだ受信していないセルのリストを管理している場合、ＣＤＮメッセージによって廃棄されたものとして示されたセルは受信機リストから削除することができる。
【０００８】
送信機によって受信機へ送出されたＣＤＮメッセージが失われた状況において、当該受信機は不正確に受信されたセルを要求して待ちつづける。この場合、当該送信機は該受信機へＣＤＮメッセージを再送信することができる。本発明の実施例によると、当該送信機は前のＣＤＮメッセージを送信した後に、送信機が廃棄したセルを含むように更新したＣＤＮメッセージを送信することができる。
【０００９】
図２は本発明の実施例によるＣＤＮメッセージの形態の例を示す。ＣＤＮメッセージ２００はＣＤＮメッセージ識別領域ＣＤＮＭ  ＩＤを格納することができ、このＣＤＮＭ  ＩＤは、当該メッセージがＣＤＮメッセージであることを示し、かつ、ＣＤＮメッセージ２００の形式または形態を示すことが可能である。シーケンス番号領域２０４は廃棄されるべき特定のセルを識別するための最初のシーケンス番号ＳＳＮ１を収容する。長さ領域２０６はＳＳＮ１セルに連続したセルをいくつ廃棄すべきかを示す、長さＬ１を収容する。ＣＤＮメッセージ２００は、例えばシーケンス番号ＳＳＮ２からＳＳＮｎまでを収容したシーケンス番号領域２０８から２２０、同様に長さＬ２からＬｎを収容した通信の長さ領域２１０から２２２といった、複数の領域の組を有することができる。
【００１０】
図３は、シーケンス番号領域３０２がシーケンス番号ＳＳＮ＝１６を具備したセルを示し、かつ、シーケンス番号領域が３０６がシーケンス番号ＳＳＮ＝１２８を具備したセルを示す、ＣＤＮメッセージ３００の特定の例を示す。これに対応する通信の長さ領域３０４と３０８は、それぞれＬ１＝１０とＬ２＝１４の長さを示す。したがって、ＣＤＮメッセージ３００は、送信機がセル１６から２５と１２８から１４１を廃棄したことを示す。このＣＤＮ形態は、例えば、ＩＰ（インターネットプロトコル）パケットのような高階層レイヤＰＤＵ（プロトコルデータユニット）が複数の小リンカレイヤのセルとして送信されて、所定のＩＰパケットに対応したリンクレベルのセルがすべて廃棄されるときのように、連続した多くのセルが廃棄される状況において使用することができる。
【００１１】
あるいは、廃棄セルのビットマップ画像は、例えば、廃棄されるべきセルのシーケンス番号が、順番どおりではない場合に使用することができる。図４はビットマップを含んだＣＤＮメッセージ４００の例を示す。該シーケンス番号領域４０２、４０６および４２０は、特定のセルを識別するシーケンス番号ＳＳＮ１、ＳＳＮ２、ＳＳＮｎまで収容する。長さ領域４０４、４０８および４２２は、シーケンス番号領域４０２、４０６および４２０で識別されたセルから開始するセルシーケンスに対応するビットマップ部の長さＬ１、Ｌ２およびＬｎを収容する。最終的に、ビットマップ領域４２４は、セルシーケンス中のどのセルが廃棄されかを示したビットマップを収容する。図５は特定の例を示す。
【００１２】
図５において、最初のシーケンス番号領域５０２は、シーケンス番号ＳＳＮ＝１６を有する第一番目のセルを識別し、かつ、対応する長さ領域５０４はＬ１＝３のビットマップ部の長さを示す。したがって、ビットマップ部４２４のうちビットマップの最も左側の３ビット分が、セル１６に対して「１」、セル１７に対して「０」およびセル１８に対して「１」を示し、セル１６と１８は送信機側で廃棄されたことを示す。同様に、シーケンス番号領域５０６はシーケンス番号ＳＳＮ＝１２８を有する隣接するセルを識別し、Ｌ２＝５の長さ領域５０８が対応する。このように、ビットマップ領域４２４のうちビットマップの最も右側の５ビット分は、左からセル１２８に対して「１」、セル１２９に対して「１」、セル１３０に対して「０」、セル１３１に対して「０」および、セル１３２に対して「１」を示し、セル１２８、１２９および１３２は廃棄されたことを示す。
【００１３】
当然ながら、当業者はビットマップが必要なビットの代わりに不要なビットを置き換えても開始可能であり、シーケンス番号領域は、開始セルの代わりに終了セルを示すことが可能であることを理解する。
【００１４】
あるいは、図６で示されたように、各開始セルに対して長さ領域を設定する代わりに、所定の長さを具備したビットマップを使用することも可能である。例えば、領域６０４はビットマップ長に対応し、シーケンス番号領域６０２で示されたように、シーケンス番号ＳＳＮ１を有するセルから開始するビットマップに対応する長さを有するセルシーケンスに対するビットマップを収容する。図６で示されたＣＤＮメッセージ６００は二組のビットマップで示されているが、適宜、数組のビットマップを具備することが可能である。
【００１５】
さらに、別な方法として、１つのＣＤＮメッセージは各廃棄セルのシーケンス番号を明示的に収容することができる。例えば、ＣＤＮメッセージは各廃棄セルに対して１つのシーケンス番号領域を有することができる。
【００１６】
図７は本発明の実施例において、受信機での制御フローの例を示すものである。図７で示したように、ステップ７０２で開始した後、制御フローは、受信機が送信機からのメッセージを受信したか否かを決定するステップ７０４に進む。結果が否定的で有れば、制御フローは、以前に再送を送信機に要求したがまだ受信されておらず、破棄もされていないと考えられているセルの再送信を要求するか否かを決定するステップ７０６へ移行する。決定が肯定的で有れば、制御フローは、ステップ７０６から、受信機が選択繰り返しＡＲＱプロトコルに従って送信機へ再送信要求を送信する、ステップ７０８に進む。ステップ７０８から、ステップ７２２に制御フローが移り、制御フローを開始ステップ７０２に戻す。ステップ７０６において、受信機が再送信要求を送信しないと決定した場合、制御フローはステップ７０６からステップ７２２へ直接移行する。
【００１７】
ステップ７０４において、受信機が、送信機からメッセージを受信したと決定した場合、制御フローは、ステップ７０４から、受信機が、当該メッセージがＣＤＮメッセージであるか否かを決定する、ステップ７１０へ進む。決定が肯定的である場合、受信機は受信したＣＤＮメッセージに対応する廃棄されたセルを算出し、制御フローはステップ７１０から７１２に移行する。制御フローは、ステップ７１２から、受信機が送信機で廃棄されたセルを廃棄する、ステップ７１４へ移行する。例えば、受信機はＣＤＮメッセージによって示された、送信機によって廃棄されたセルを削除することによって受信を予測しているセルのリストを変更する。制御フローはステップ７１４から、ステップ７２２に進み、開始ステップ７０２に戻る。
【００１８】
ステップ７１０において、受信機が、送信機からのメッセージがＣＤＮメッセージではないと決定した場合、制御フローはステップ７１０から７１６に進み、受信機が新しいセルを有しているか否かを決定する。ステップ７１６において、受信機が、当該メッセージが新しいセルを有していないと決定した場合、ステップ７１６からステップ７１８に進んで受信機が適宜応答する。例えば、当該メッセージが再送信を含み、正確に受信された場合、選択繰り返しＡＲＱプロトコルに従って、受信機はメッセージを適切に認知し、正しく受信された再送セルを受信予測セルのリストから削除する形で応答することができる。ステップ７１８から、制御フローはステップ７２２に進み、開始ステップ７０２に戻る。
【００１９】
ステップ７１６において、受信機が、当該メッセージが新しいセルを有すると決定した場合、制御フローはステップ７１６からステップ７２０に進んで、受信機がどの新しいセルも確実に受信されているか、または欠落しているか否かを決定する。ステップ７２０で、どれか新しいセルが正しく受信されていないか、または欠落している場合、制御フローはステップ７２０からステップ７０８に進んで、受信機は正しく受信されていないセルまたは欠落しているセルの再送要求を適宜に行う。ステップ７０８から、制御フローは、ステップ７２２に進んで、開始ステップ７０２に戻る。ステップ７２０において、受信機が、メッセージ中で正しく受信されなかったセルまたは欠落したセルが存在しないと決定した場合、制御フローは、ステップ７２０からステップ７２２に直接移行して開始ステップ７０２に戻る。
【００２０】
図８は本発明の実施例による、送信機での制御フローの例を示すものである。図８に示したように、ステップ８０２で開始した後、制御フローはステップ８０４に進んで、送信機がどれか１つのセルが廃棄されるべきか否かを決定する。決定が否定的である場合、制御フローはステップ８０４から８１０に進んで、送信機は受信機からメッセージを受信したか否かを決定する。決定が否定的である場合、制御フローはステップ８１０からステップ８２２へに進んで、開始ステップ８０２に戻る。
【００２１】
ステップ８１０において、送信機は受信機からメッセージを受信していると決定した場合、制御フローはステップ８１０からステップ８１２に進んで、送信機は当該メッセージが再送要求であるか否かを決定する。決定が否定的である場合、制御フローはステップ８１２から８１４に進んで、送信機は選択繰り返しＡＲＱプロトコルに従って、適宜応答し、制御はステップ８１４から８２２に進んで、開始ステップ８０２へ戻る。
【００２２】
ステップ８１２において、送信機が当該メッセージが再送要求であると決定した場合、制御フローはステップ８１２からステップ８１６に移行して、送信機は受信機から要求されたセルの内に廃棄されたものが有るか否かを決定する。決定が否定的である場合、制御フローはステップ８１６から８２０へ移行して、送信機は要求されたセルであって廃棄されないセルを全て再送する。制御フローは、ステップ８２０からステップ８２２に進んで、開始ステップ８０２へ戻る。
【００２３】
ステップ８１６において、送信機が受信機から要求された１つ以上のセルが廃棄されていると決定した場合、制御フローはステップ８１８に進んで、送信機は、該セルが廃棄されたことを示すＣＤＮメッセージを受信機に送信する。制御フローは、ステップ８１８からステップ８２０に進んで、要求されてかつ廃棄されない、全てのセルが再送される。
【００２４】
ステップ８０４において、送信機は、セルが廃棄されるべきであると決定した場合、制御フローはステップ８０６に進んで、送信機がセルを廃棄する。制御フローは、ステップ８０６からステップ８０８に進んで、送信機は、当該セルが廃棄されたことを示すＣＤＮメッセージを受信機に送信する。
【００２５】
送信機は、送信機から廃棄されたセルを示すＣＤＮメッセージを送信し、かつ、受信機が示されたセルのうち１つ以上を受信することを予測していなかった状況では、本発明の実施例によれば、受信機は、受信を予測しなかったセルに関するＣＤＮ指示メッセージを無視することができる。これは、例えば、図７のステップ７１２と７１４の一部として実行可能で、ステップ７１２で「予測していなかった」セルが計算され、ステップ７１４で無視される。後に、受信機が廃棄されたセルのうち１つ以上を受信することを予測することになれば、セルの再送要求が可能で、送信機は、受信機にＣＤＮメッセージを送信することによって応答可能である。あるいは、受信機は、受信機が予測していないセルのリスト、言い換えると、送信機が廃棄したＣＤＮメッセージを介して最初に情報を得たときに受信を予測していなかったセルのリストを維持することができる。該リストは、例えばステップ７１２の一部として更新されうる。後に、受信機が受信を予測しているセルのリストを再確認または更新するときに、「予測していない」リストを「予測」リストと比較して、該リストから適合登録を削除することができる。これは例えば、ステップ７１２、７１４および７２０のうち少なくとも１つ以上の場合において実行することができる。
【００２６】
図９は、図７および８に示した上述の方法と一致した、本発明の実施例であるシステム９００のブロックダイアグラムである。該システム９００は、図７および８を参照した上記記載の方法によると、無線リンク９０８を介して受信機９０４へ情報を送信する送信機９０２を含む。該システム９００は、受信機９０４で予測されたセルを意味するシーケンス番号のリスト９０６も含む。図９で示したように、前記リストは受信機９０４の内部に設けることができる。本発明の実施例によると、該リスト９０６は送信機が廃棄したＣＤＮメッセージを介して最初に情報を得たときに受信することを予測していていなかったセルのリストも有することができる。
【００２７】
廃棄が行われたことを知らせる別の方法は、参考文献として「自動再送信要求を具備したデータネットワークにおけるパケット廃棄方法と装置」という名称で出願中のアメリカ特許出願番号０９／１７９，９５２に記載されている。 プライムＡＲＱプロトコルで使用するセル廃棄方法は、参考文献として「セル廃棄を含むプライムＡＲＱフロー制御」という名称で出願中のアメリカ特許出願番号０９／２４５，８６６に記載されている。出願中のアメリカ特許出願番号０９／１７９，９５２と０９／２４５，８６６に記載されたセル廃棄技術の種々の側面は、上述のセル廃棄技術と適宜、組合わせることが可能である。
【００２８】
本発明は発明の技術的思想又は特徴から離れることなく、他の特定の形式で実行できることは当業者にとって自明であり、本発明は明細書に記載された特定の実施例に限定されることはない。採用した実施例はあらゆる意味において説明のためのものであって制限的な意味を有しないものと解釈すべきである。本発明の範囲は上述の説明ではなく請求項によって示されており、意味と範囲と均等の範囲に属する全ての変形例は本発明の範囲に含まれる。
【図面の簡単な説明】
本発明の他の目的および有利な点は、以下の添付図を読み、上記の好ましい実施例のさらに詳しい説明によれば当業者にとっては明らかであろう。複数の図面において、同様の構成要素には同じ番号を付した。
【図１】  図１は選択繰り返しＡＲＱメカニズムの例を示すものである。
【図２】  図２は本発明の実施例によるセル廃棄通知メッセージの形態を示すものである。
【図３】  図３は図２で示した形態によるセル廃棄通知メッセージの特定の例を示すものである。
【図４】  図４は本発明の実施例によるセル廃棄通知メッセージの別の形態を示すものである。
【図５】  図５は図４に示した形態によるセル廃棄通知メッセージの特定の例を示すものである。
【図６】  図６は本発明の別の実施例によるセルの廃棄通知メッセージを示すものである。
【図７】  図７は本発明の実施例による受信機の制御フローを示すものである。
【図８】  図８は本発明の実施例による送信機の制御フローを示すものである。
【図９】  図９は本発明の実施例によるシステムのブロック図である。
【図１】
0003857053.tif 000002
【図２】
0003857053.tif 000003
【図３】
0003857053.tif 000004
【図４】
0003857053.tif 000005
【図５】
0003857053.tif 000006
【図６】
0003857053.tif 000007
【図７】
0003857053.tif 000008
【図８】
0003857053.tif 000009
【図９】
0003857053.tif 000010